(57)【要約】【課題】調整を簡便に行うための調整用画像を生成する。【解決手段】本発明の一実施形態に係る画像表示装置１０は、半導体レーザ３１と、ホイール３５と、調整用画像生成部６２と、投影部６３と、を備える。半導体レーザ３１は、光を照射する。ホイール３５は、半導体レーザ３１が照射した光の色成分を調整する領域として、第１領域と第２領域を有する。調整用画像生成部６２は、第１領域と第２領域に隣接する区間を用いる第１の色と、境界に隣接する区間を用いず、前記第１の色に近い色成分の第２の色と、を隣接して配置した調整用画像を生成する。投影部６３は、調整用画像生成部６２により生成された調整用画像を投影する。【選択図】図５
2020204781.tif 000002
【特許請求の範囲】
【請求項１】
所定の軸を中心に回転するように構成されているとともに所定の光源から出射される光の光路上に配置されることにより、前記所定の軸を中心にした回転に伴って前記光が照射される領域が可変するホイールと、
前記ホイールを介した前記光源からの光により所定の画像パターンが投影面に形成されるように、前記ホイールを介した前記光源からの光を所定の画像信号に基づいて空間的に変調する表示素子と、
を備え、
前記ホイールは、前記光が照射される領域が、照射された前記光が第１の色で出射する第１の調整領域と前記第１の色とは異なる第２の色で出射する第２の調整領域とに、２分割されている投影装置であって、
少なくとも第１の配色領域と第２の配色領域とを有し前記第１の配色領域と前記第２の配色領域とが隣り合う幾何学模様に配置された調整用画像を前記所定の画像パターンとして投影する際に、前記第１の配色領域が、前記第１の調整領域のうち前記第２の調整領域との境界に隣接する領域から出射した光で形成されるように、且つ、前記第２の配色領域が、前記第１の調整領域のうち前記第２の調整領域との境界から離れた領域から出射した光で形成されるように、前記ホイール及び前記表示素子を制御する制御手段、
を備えたことを特徴とする投影装置。
【請求項２】
前記制御手段は、前記調整用画像にさらに第３の配色領域と第４の配色領域とが含まれるように且つ前記第３の配色領域と前記第４の配色領域とが隣り合うように、前記調整用画像を投影する際には、前記第３の配色領域が、前記第２の調整領域のうち前記第１の調整領域との境界に隣接する領域から出射した光で形成されるように、且つ、前記第４の配色領域が、前記第２の調整領域のうち前記第１の調整領域との境界から離れた領域から出射した光で形成されるように、前記ホイール及び前記表示素子を制御する、
ことを特徴とする請求項１に記載の投影装置。
【請求項３】
所定の軸を中心に回転するように構成されているとともに所定の光源から出射される光の光路上に配置されることにより、前記所定の軸を中心にした回転に伴って前記光が照射される領域が可変するホイールと、
前記ホイールを介した前記光源からの光により所定の画像パターンが投影面に形成されるように、前記ホイールを介した前記光源からの光を所定の画像信号に基づいて空間的に変調する表示素子と、
を備え、
前記ホイールは、前記光が照射される領域が、照射された前記光が第１の色で出射する第１の調整領域と前記第１の色とは異なる第２の色で出射する第２の調整領域とに、２分割されている投影装置のコンピュータを、
少なくとも第１の配色領域と第２の配色領域とを有し前記第１の配色領域と前記第２の配色領域とが隣り合う幾何学模様に配置された調整用画像を前記所定の画像パターンとして投影する際に、前記第１の配色領域が、前記第１の調整領域のうち前記第２の調整領域との境界に隣接する領域から出射した光で形成されるように、且つ、前記第２の配色領域が、前記第１の調整領域のうち前記第２の調整領域との境界から離れた領域から出射した光で形成されるように、前記ホイール及び前記表示素子を制御する制御手段、
として機能させることを特徴とするプログラム。
【発明の詳細な説明】
【技術分野】
【０００１】
本発明は、投影装置及びプログラムに関する。
【背景技術】
【０００２】
一般的に、カラーホイールや蛍光体ホイールといったホイールを用いた画像表示装置（例えばプロジェクタ）においては、光源から入射される光の色分離を行うホイールの回転位置を検出し、ＤＭＤ（Ｄｉｇｉｔａｌ  Ｍｉｃｒｏｍｉｒｒｏｒ  Ｄｅｖｉｃｅ）等の変調素子との同期制御をする必要がある。この同期制御が不適切な場合、表示映像に混色等の不具合が発生してしまうことがある。
【０００３】
同期制御を行うための技術として、ホイールの回転位置検出信号（インデックス信号）を用いる技術が広く用いられている。インデックス信号を用いる技術では、ホイールの回転部に設けられた回転位置検出マークを、反射型のフォトインタラプタ（インデックスセンサ）を用いて検出し、検出タイミングに基づいて生成されるインデックス信号を用いることにより同期制御を実現することができる。
【０００４】
ただし、インデックス信号を用いて同期制御を正確に行うためには、前提として、ホイールとそれを駆動するモータとの取り付け状態や、回転位置検出マークの貼り付け位置が適正である必要がある。
【０００５】
しかしながら、画像表示装置の製造工程では、ホイールの取り付けや、回転位置検出マークの貼り付けが手作業でなされることがある。そして、これらの作業が手作業でなされる場合、どうしても位置ズレ等の誤差が生じ、その結果、インデックス信号のタイミングがズレてしまう。そこで、ホイールのインデックス信号と透過光との間の同期タイミングの調整を、製品一台毎に行う必要があった（例えば特許文献１参照）。
【先行技術文献】
【特許文献】
【０００６】
【特許文献１】特開２０１２−３２１３号公報
【発明の概要】
【発明が解決しようとする課題】
【０００７】
上述のように、投影画像に混色等が起きないように、調整用の調整画像を参照しながら手作業でタイミング調整を行うケースが多い。しかしながら、調整を簡便に行うための調整画像を提供することは困難であるため、作業者のスキルのバラつきによってインデックス信号のタイミングの調整精度が低くなったり、品質が安定しなかったりという課題があった。
【０００８】
本発明は以上のような状況を鑑みてなされたものであって、インデックス信号のタイミングの調整を簡便に行うための調整用画像を生成するための技術を提供することを目的とする。
【課題を解決するための手段】
【０００９】
上記目的を達成するため、本発明に係る投影装置は、所定の軸を中心に回転するように構成されているとともに所定の光源から出射される光の光路上に配置されることにより、前記所定の軸を中心にした回転に伴って前記光が照射される領域が可変するホイールと、前記ホイールを介した前記光源からの光により所定の画像パターンが投影面に形成されるように、前記ホイールを介した前記光源からの光を所定の画像信号に基づいて空間的に変調する表示素子と、を備え、前記ホイールは、前記光が照射される領域が、照射された前記光が第１の色で出射する第１の調整領域と前記第１の色とは異なる第２の色で出射する第２の調整領域とに、２分割されている投影装置であって、少なくとも第１の配色領域と第２の配色領域とを有し前記第１の配色領域と前記第２の配色領域とが隣り合う幾何学模様に配置された調整用画像を前記所定の画像パターンとして投影する際に、前記第１の配色領域が、前記第１の調整領域のうち前記第２の調整領域との境界に隣接する領域から出射した光で形成されるように、且つ、前記第２の配色領域が、前記第１の調整領域のうち前記第２の調整領域との境界から離れた領域から出射した光で形成されるように、前記ホイール及び前記表示素子を制御する制御手段、を備えたことを特徴とする。
また、本発明に係るプログラムは、所定の軸を中心に回転するように構成されているとともに所定の光源から出射される光の光路上に配置されることにより、前記所定の軸を中心にした回転に伴って前記光が照射される領域が可変するホイールと、前記ホイールを介した前記光源からの光により所定の画像パターンが投影面に形成されるように、前記ホイールを介した前記光源からの光を所定の画像信号に基づいて空間的に変調する表示素子と、を備え、前記ホイールは、前記光が照射される領域が、照射された前記光が第１の色で出射する第１の調整領域と前記第１の色とは異なる第２の色で出射する第２の調整領域とに、２分割されている投影装置のコンピュータを、少なくとも第１の配色領域と第２の配色領域とを有し前記第１の配色領域と前記第２の配色領域とが隣り合う幾何学模様に配置された調整用画像を前記所定の画像パターンとして投影する際に、前記第１の配色領域が、前記第１の調整領域のうち前記第２の調整領域との境界に隣接する領域から出射した光で形成されるように、且つ、前記第２の配色領域が、前記第１の調整領域のうち前記第２の調整領域との境界から離れた領域から出射した光で形成されるように、前記ホイール及び前記表示素子を制御する制御手段、として機能させることを特徴とする。
【発明の効果】
【００１０】
本発明によれば、調整を簡便に行うための調整用画像を生成するための技術を提供することができる。
【図面の簡単な説明】
【００１１】
【図１】本発明の一実施形態に係る画像表示装置のハードウェアの構成を示すブロック図である。
【図２】図１の画像表示装置の機能的構成のうち、パラメータ調整処理を実行するための機能的構成を示す機能ブロック図である。
【図３】ホイールの構成の一例を示す模式図である。
【図４】ホイールにおける境界隣接区間の一例を示す模式図である。
【図５】調整用画像の一例を示す模式図である。
【図６】パラメータ調整によるズレの削減についての一例を示すタイミングチャートである。
【図７】図２の機能的構成を有する図１の画像表示装置が実行するパラメータ調整処理の流れを説明するフローチャートである。
【発明を実施するための形態】
【００１２】
以下、本発明の実施形態について、図面を用いて説明する。
【００１３】
本発明に係る画像表示装置は、調整用画像を投影し、この調整用画像に基づいた調整処理を行う。
このとき、画像表示装置は、インデックス信号のズレを合わせるために、ホイールの反射領域と透過領域の境界部分にあり、光源から入射される光によって作られるスポーク期間と言われる境界隣接区間を用いる。これはこの境界隣接区間を使用して作られる色は少しのインデックス信号のズレであっても、ホイールに照射される投影光の照射面積が境界部分を超えることで他の色を含んでしまうため、入力される画像信号の色と実際に投影される画像の色とが異なることがわかりやすいためである。具体的には、画像表示装置は、１階調異なる２つの色であって、この境界隣接区間を使用して作られる第１の色と、この境界隣接区間を使用しないで作られ、且つ色成分が第１の色に近い第２の色とを幾何学模様になるように配色することにより調整用画像を生成する。また、画像表示装置は、この調整用画像を投影する。
【００１４】
この調整用画像では、境界部分の境界隣接区間の色が正しい(すなわち、インデックス信号のズレがない)場合には階調の変化が滑らかになるため人間の目の分解能では何もないように見えるが、境界隣接区間の色がズレている(すなわち、インデックス信号にズレがある)場合には階調の変化が急激となり、幾何学模様が浮き上がる。
【００１５】
従って、例えば手作業で調整を行う作業者は、この幾何学模様が出ないようにインデックスディレイを調整することで厳密にインデックス信号の同期タイミングを合わせることができる。また、調整作業を始める前に幾何学模様が出ているかどうかを確認することで調整の必要の有無を簡単に判断することができる。
【００１６】
［ハードウェア構成］
図１は、本発明の一実施形態に係る画像表示装置１０のハードウェアの構成を示すブロック図である。
画像表示装置１０は、例えば、ＤＬＰ（Ｄｉｇｉｔａｌ  Ｌｉｇｈｔ  Ｐｒｏｃｅｓｓｉｎｇ）方式に準拠したプロジェクタとして構成される。
【００１７】
画像表示装置１０は、入出力コネクタ１１、入出力インターフェース（Ｉ／Ｆ）１２、システムバス１３、画像変換部１４、ＶＲＡＭ（Ｖｉｄｅｏ  ＲＡＭ）１５、投影画像処理部１６、音声出力部１７、投影光処理部１８、投影光生成部１９、マイクロミラー素子２０、ミラー２１、投影レンズユニット２２、（Ｂ発光）半導体レーザ３１、（Ｒ発光）ＬＥＤ３２、ミラー３３、ダイクロイックミラー３４、カラーホイール、インデックスセンサ３６、モータ（Ｍ）３７、ミラー３８、ミラー３９、ダイクロイックミラー４０、インテグレータ４１、ミラー４２、ＣＰＵ（Ｃｅｎｔｒａｌ  Ｐｒｏｃｅｓｓｉｎｇ  Ｕｎｉｔ）５１、記憶部５２、及び操作部５３を備える。
【００１８】
これら各部の内、入出力インターフェース（Ｉ／Ｆ）１２、システムバス１３、画像変換部１４、ＶＲＡＭ（Ｖｉｄｅｏ  ＲＡＭ）１５、投影画像処理部１６、音声出力部１７、投影光処理部１８、及びＣＰＵ５１は、システムバス１３を介して相互にデータを送受信可能に接続される。
【００１９】
入出力コネクタ１１は、画像表示装置１０が投影の対象とする画像データを外部装置から入力するための端子である。入出力コネクタ１１は、例えば、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）端子、ピンジャック（ＲＣＡ）タイプのビデオ入力端子、Ｄ−ｓｕｂ１５タイプのＲＧＢ入力端子、及びＵＳＢ（Ｕｎｉｖｅｒｓａｌ  Ｓｅｒｉａｌ  Ｂｕｓ）コネクタ等により実現される。また、入出力コネクタ１１には、プログラムや画像データ等を格納した、磁気ディスク、光ディスク、光磁気ディスク、あるいは半導体メモリ等よりなる、リムーバブルメディア１０１が適宜装着される。
【００２０】
入出力コネクタ１１によってリムーバブルメディア１０１から読み出されたプログラムは、必要に応じて記憶部５２にインストールされる。また、リムーバブルメディア１０１は、記憶部５２に記憶される各種データも、記憶部５２と同様に記憶することができる。
【００２１】
入出力コネクタ１１に入力される各種規格に準拠した画像データは、入出力インターフェース（図中では、「入出力Ｉ／Ｆ」と記載する）１２及びシステムバス１３を介して画像変換部１４に入力される。
【００２２】
画像変換部１４は、入出力コネクタ１１から入力された画像データを投影に適した所定の形式の画像信号に変換する。また、画像変換部１４は、変換後の画像信号を投影画像処理部１６に対して出力する。
ＶＲＡＭ１５は、画像処理用のバッファメモリであり、画像変換部１４から投影画像処理部１６に対して画像信号を出力する際に、バッファとして適宜利用される。
この際、必要に応じて、ＯＳＤ（Ｏｎ  Ｓｃｒｅｅｎ  Ｄｉｓｐｌａｙ）用の各種動作状態を示すシンボル等のデータがＶＲＡＭ１５で画像信号に重畳加工されてもよい。この場合、加工後の画像信号が読出されて投影画像処理部１６に対して出力される。
【００２３】
投影画像処理部１６は、画像変換部１４から入力された画像信号に応じて、所定の形式に準拠したフレームレート、色成分の分割数、及び表示階調数を乗算した時分割駆動により、マイクロミラー素子２０の駆動を制御する。
【００２４】
マイクロミラー素子２０は、投影画像処理部１６の制御に基づいて駆動する空間的光変調素子である。マイクロミラー素子２０は、アレイ状に配列された複数画素（例えばＸＧＡに対応する横１０２４画素×縦７６８画素）夫々に対応する複数の微小ミラーの各傾斜角度を、個々に高速でオン／オフに切り換える。マイクロミラー素子２０は、このように、高速でオン／オフに切り換え、オンの際に投影レンズユニット２２に対して出射される反射光によって画像信号に対応する光像を形成する。
【００２５】
一方で、投影光生成部１９からは、時分割でＲ（Ｒｅｄ）、Ｇ（Ｇｒｅｅｎ）、及びＢ（Ｂｌｕｅ）の原色光が循環的に出射される。この投影光生成部１９からの原色光が、ミラー２１で全反射して、マイクロミラー素子２０に対して照射される。
このようにマイクロミラー素子２０に入射されるＲＧＢの原色光毎に定められる所定期間ずつマイクロミラー素子２０がオンになっている時間を調整することで、入力された画像信号に対応する色成分になるよう色の調整を行う。
【００２６】
そして、マイクロミラー素子２０での反射光で光像が形成され、形成された光像が投影レンズユニット２２を介して、投影対象となる図示しないスクリーンに投影表示される。
【００２７】
投影光生成部１９は、２種類の光源を備える。具体的には、青色のレーザ光を発する半導体レーザ３１と、赤色光を発するＬＥＤ３２とを有する。なお、図中の投影光生成部１９内において矢印と共に示されるＲ、Ｇ、Ｂの各文字とこの矢印は、レーザ光の色（ＲＧＢの何れか）とレーザ光の進行方向を表している。
【００２８】
半導体レーザ３１の発する青色のレーザ光は、ミラー３３で全反射された後、ダイクロイックミラー３４を透過して、ホイール３５の周上の１点に照射される。このホイール３５は、円環状部材によって構成され、モータ３７により基本的に定速で回転される。レーザ光が照射されるホイール３５の周上には、光を透過する透過領域と、光を反射する反射領域が設けられる。この、光を透過する領域は、光を拡散する拡散板としての機能を有している。また、光を反射する反射領域には蛍光塗料が塗布されており、緑色蛍光反射板としての機能を有している。なお、ホイール３５の、より具体的な構成については図３を参照して後述する。
【００２９】
ホイール３５の透過領域がレーザ光の照射位置にある場合、レーザ光はこの透過領域で拡散されながらホイール３５を透過した後、ミラー３８及びミラー３９で夫々全反射される。その後、この青色光は、上記ダイクロイックミラー４０を透過し、インテグレータ４１で輝度分布が略均一な光束とされた後にミラー４２で全反射されて、上記ミラー２１へ送られる。
【００３０】
ホイール３５の反射領域がレーザ光の照射位置にある場合、レーザ光の照射により緑色光が励起され、励起された緑色光がホイール３５で反射された後、上記ダイクロイックミラー３４でも反射される。その後、この緑色光は、さらにダイクロイックミラー４０で反射され、インテグレータ４１で輝度分布が略均一な光束とされた後にミラー４２で全反射されて、上記ミラー２１へ送られる。
【００３１】
さらに、上記ＬＥＤ３２の発した赤色光は、上記ダイクロイックミラー３４を透過した後にダイクロイックミラー４０で反射され、インテグレータ４１で輝度分布が略均一な光束とされた後にミラー４２で全反射されて、上記ミラー２１へ送られる。
【００３２】
上述のように、ダイクロイックミラー３４は、青色光、及び赤色光を透過する一方で、緑色光を反射する分光特性を有する。また、ダイクロイックミラー４０は、青色光を透過する一方で、赤色光、及び緑色光を反射する分光特性を有する。
【００３３】
加えて、ホイールの回転部に設けられた回転位置検出マークを検出可能な位置に、インデックスセンサ３６を配設する。インデックスセンサ３６は、反射型のフォトインタラプタにより実現され、回転位置検出マークの検出タイミングを示すインデックス信号を生成する。そして、インデックスセンサ３６は、生成したインデックス信号を投影光処理部１８へ出力する。
【００３４】
また、インテグレータ４１の出射光側に向けて光センサ（図示省略）を配設する。この光センサは、光の色に関係なく輝度のみを検知するものである。光センサの検知した輝度の情報は投影光処理部１８へ出力される。
【００３５】
投影光処理部１８は、投影画像処理部１６から入力される画像信号におけるタイミング信号、インデックスセンサ３６から入力されるインデックス信号、光センサから入力される輝度の情報等に基づいて、上述した投影光生成部１９における、半導体レーザ３１とＬＥＤ３２の各発光タイミング及び発光強度、上記モータ３７によるホイール３５の回転等を制御する。かかる投影光処理部１８による制御は、後述のＣＰＵ５１による統括制御に基づいて行われる。
【００３６】
上記各回路の動作すべてをＣＰＵ５１が統括制御する。かかる統括制御のために、記憶部５２には、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）。及びＤＲＡＭ（Ｄｙｎａｍｉｃ  Ｒａｎｄｏｍ  Ａｃｃｅｓｓ  Ｍｅｍｏｒｙ）等の半導体メモリが含まれる。
【００３７】
記憶部５２に含まれるこれら半導体メモリは、動作プログラムや各種定型データ等に加え、工場出荷時のホワイトバランスがとれた状態での上記Ｒ、Ｇ、及びＢ各発光時のＬＥＤ３２と半導体レーザ３１の各駆動電流値が定格電流値として記憶されている。また、図１を参照して後述するが、記憶部５２には、インデックス信号に基づいた制御を行うための設定値である、インデックスパラメータ記憶部が設けられる。
【００３８】
ＣＰＵ５１は、ＲＯＭに記録されているプログラム、または、ＤＲＡＭからＲＡＭにロードされたプログラムにしたがって各種の処理を実行する。ＲＡＭには、ＣＰＵ５１が各種の処理を実行する上において必要なデータ等も適宜記憶される。
【００３９】
ＣＰＵ５１は、操作部５３が受け付けたユーザからのキー操作に基づいた信号である、操作信号に応じて、各種投影動作やインデックスパラメータの調整動作を実行する。
この操作部５３は、画像表示装置１０の本体に設けられるキー操作部と、この画像表示装置１０専用の図示しないリモートコントローラの間で赤外光を受光するレーザ受光部とを含み、ユーザが本体のキー操作部またはリモートコントローラで操作したキーに基づくキー操作信号をＣＰＵ５１へ直接出力する。
【００４０】
操作部５３は、上記キー操作部、及びリモートコントローラ共に、例えばフォーカス調整キー、ズーム調整キー、入力切換キー、メニューキー、カーソルキー、セットキー、キャンセルキー等を備える。
【００４１】
ＣＰＵ５１は、音声出力部１７についても統括制御の対象とする。音声出力部１７は、ＰＣＭ音源等の音源回路を備え、投影動作時にＣＰＵ５１から与えられる音声データをアナログ化する。また、音声出力部１７は、内部に備えるスピーカ部を駆動して拡声放音させ、あるいは必要によりビープ音等を発生させる。
【００４２】
［機能的構成］
図２は、図１の画像表示装置１０の機能的構成のうち、パラメータ調整処理を実行するための機能的構成を示す機能ブロック図である。
パラメータ調整処理とは、インデックスパラメータを調整するための、調整用画像を生成して投影し、この調整用画像を参照したユーザからの操作に応じてインデックスパラメータを調整する一連の処理をいう。
【００４３】
パラメータ調整処理が実行される場合、図２に示すように、ＣＰＵ５１において、モード判定部６１と、調整用画像生成部６２と、投影部６３と、パラメータ調整部６４と、が機能する。
また、記憶部５２の一領域には、インデックスパラメータ記憶部７１が設定される。
【００４４】
モード判定部６１は、ユーザからのインデックスパラメータ調整開始を指示する操作を受け付けたか否かを判定する。そして、モード判定部６１は、ユーザからのインデックスパラメータ調整開始を指示する操作を受け付けたと判定した場合に、画像表示装置１０の動作モードをパラメータ調整モードに切り換える。これにより、パラメータ調整処理が開始される。
また、モード判定部６１は、パラメータ調整処理が開始後に、ユーザからのインデックスパラメータ調整終了を指示する操作を受け付けたか否かを判定する。そして、モード判定部６１は、ユーザからのインデックスパラメータ調整終了を指示する操作を受け付けたと判定した場合に、画像表示装置１０の動作モードを、パラメータ調整モードから通常モードに切り替える。これによりパラメータ調整処理は終了する。
【００４５】
調整用画像生成部６２は、調整用画像を生成する。
投影部６３は、投影画像処理部１６や、投影光処理部１８を制御することにより、調整用画像生成部６２が生成した、調整用画像を投影する。
パラメータ調整部６４は、調整用画像を参照したユーザからの、操作部５３に対する操作に応じてインデックスパラメータを調整する。
【００４６】
インデックスパラメータ記憶部７１は、パラメータ調整部６４が調整対象とするインデックスパラメータを記憶する。このインデックスパラメータは、上述したようにＣＰＵ５１による画像表示のための統括制御において利用される。
【００４７】
次に、これら各機能ブロックが協働して行われるインデックスパラメータの調整について図３から図６までを参照して説明をする。
まず、前提となるホイール３５の構成について図３を参照して説明をする。
ホイール３５は、円環状部材によって構成され、モータ３７により基本的に定速で回転される。レーザ光が照射されるホイール３５の周上には、光を透過する透過領域と、光を反射する反射領域が設けられる。この、光を透過する領域は、光を拡散する拡散板としての機能を有している。また、光を反射する反射領域には蛍光塗料が塗布されており、緑色蛍光反射板としての機能を有している。
【００４８】
ホイール３５の透過領域がレーザ光の照射位置にある場合、レーザ光はこの透過領域で拡散されながらホイール３５を透過する。ホイール３５の反射領域がレーザ光の照射位置にある場合、レーザ光の照射により緑色光が励起され、励起された緑色光がホイール３５で反射される。なお、これら透過光や反射光のその後の進行については、図１を参照して上述した通りである。
一例として、ホイール３５の透過領域は、全周における約１／４の範囲、反射領域は、全周における残りの３／４の範囲に設定されている。
【００４９】
画像が投影される場合、モータ３７がホイール３５を回転させると共に、マイクロミラー素子２０内において画素毎に設置されたミラーが、入射光が投影方向（出力した光が有効となる方向）に反射される角度と、入射光が光吸収体の方向（出力した光が無効となる方向）に反射される角度とに切り替えて、投影画像の各画素が生成される。
【００５０】
この場合、Ｒ、Ｇ及びＢの色成分を制御する必要があり、Ｇ及びＢに関しては、青色光源がホイール３５の透過領域と反射領域とに照射される時間を、マイクロミラー素子２０のオンオフを制御することで、各色成分が調整する。なお、本実施形態では、透過領域と反射領域の全域ではなく、一部の領域に対して青色光源を照射されるように時間を制御する。一例として、図３に示すように透過領域の一部の領域であるセグメントＡと、反射領域の一部の領域であるセグメントＢに対して青色光源を照射されるように時間を制御する。
【００５１】
ここで、この時間制御を行うためには、インデックス信号に基づいて、ホイール３５における透過領域と反射領域との境界を検出する必要がある。そのため、ホイール３５の所定箇所（例えばホイール３５のセグメントＡとセグメントＢの境界部分に対応する箇所）には、インデックスセンサ３６がインデックス信号を生成するための回転位置検出マークが取り付けられる。
そして、インデックスセンサ３６が、この回転位置検出マークを検出し、この回転位置検出マークの検出タイミングを示すインデックス信号を投影光処理部１８に出力する。
【００５２】
投影光処理部１８は、インデックス信号に基づいて、ホイール３５の透過領域と反射領域との何れに青色光源が照射されているかを認識することができる。
しかしながら、上述したように回転位置検出マークの取り付けが手作業で行われているような場合には、取り付け状態にバラつきがある。そのため、インデックスセンサ３６が出力するインデックス信号と、投影光処理部１８がホイール３５を制御するための論理的なインデックス信号に対応するタイミングとにズレ（誤差）が生じてしまう。そのため、投影光処理部１８が、青色の光源として機能する期間と緑色の光源として機能する期間の境界の位置（すなわち、セグメントＡとセグメントＢの境界の位置）を正確に認識することができなくなってしまう。また、境界部分の塗料の塗布状態等にも個体差があり、これも誤差の要因となる。
【００５３】
そこで本実施形態では、インデックス信号のズレを合わせるために、調整用画像生成部６２が、ホイール３５のセグメントＡとセグメントＢの境界を含む境界近傍の区間（以下「境界隣接区間」と呼ぶ。）を用いて調整用画像を生成する。これはこの境界隣接区間を使用して出力される色は、少しのインデックス信号のズレでも境界超えてしまい、セグメントＡに対応する色とセグメントＢに対応する色とが（すなわち青色光と緑色光とが）混ざりやすいためである。
【００５４】
図３における境界隣接区間を拡大した場合の模式図を図４に示す。境界隣接区間は、境界に隣接した反射領域側の区間（以下「第１境界隣接区間」と呼ぶ。）と、境界に隣接した透過領域側の区間（以下「第２境界隣接区間」と呼ぶ。）とにより構成される。なお、この境界隣接区間は、「ビットプレーン」と呼ばれることもある。
【００５５】
調整用画像の生成方法としては、例えば、画像表示装置１０が投影するカラースケールの１階調の差は、人間が視認できないことから、１階調異なる２つの色であって、この境界隣接区間を使用して作られる第１の色と、この境界隣接区間を使用しないで作られ、且つ色成分が第１の色に近い第２の色とを幾何学模様になるように配色することにより調整用画像を生成する。この２色の領域の境界が明確に表れる場合、インデックスセンサ３６が出力するインデックス信号と、投影光処理部１８がホイール３５を制御するための色の切り替わり信号（論理的なインデックス信号）に対応するタイミングとにズレが大きいことを表している。一方で、この２色の領域の境界が明確に表れない場合には、ズレが生じていないことを表している。
具体的には、マイクロミラー素子を制御し、セグメントＡ（緑色）とセグメントＢ（青色）の単色領域と、それらの混色領域である境界隣接区間で得られる色とを用いて第１の色及び第２の色の画像領域を夫々生成する。
このとき、第１の色及び第２の色は境界に隣接する区間を使用して作られる緑色及び青色の成分において、１階調程度異なるように色を設定される。
【００５６】
ただし、例えば、第１境界隣接区間を使用する第１の色と、この第１境界隣接区間を使用しない第２の色により調整用画像を生成した場合、インデックス信号にズレが生じている場合であっても第１境界隣接区間側（すなわち、反射領域側）にズレているとこの２色の領域の境界が明確に表れない可能性がある。また、同様に、第２境界隣接区間を使用する第１の色と、この第２境界隣接区間を使用しない第２の色により調整用画像を生成した場合、インデックス信号にズレが生じている場合であっても第２境界隣接区間側（すなわち、透過領域側）にズレていると、この２色の領域の境界が明確に表れない可能性がある。
【００５７】
そこで、４つの色を選択して調整用画像を生成するようにしてもよい。図５に、４つの色を選択して生成される調整用画像の一例を示す。本例では、４つの色を選択して、調整用画像を生成する。具体的には図５に示すように、選択される色として、第１境界隣接区間、第２境界隣接区間を夫々使用するまたは使用しない色であって、１階調ずつ異なる４つの色を選択して調整用画像を生成する。このようにすれば、第１境界隣接区間側（すなわち、反射領域側）にズレが生じている場合であっても、第２境界隣接区間側（すなわち、透過領域側）にズレが生じている場合であっても何れかの色の領域の境界が明確に表れるのでズレの発生をより確実に把握することができる。また、第１境界隣接区間側と、第２境界隣接区間側の何れ側にズレているのかを把握することもできる。
【００５８】
例えば、各領域の色の階調（Ｒ,Ｇ,Ｂ）を夫々、第１境界隣接区間を使用しない領域（255，37，37）、第１境界隣接区間を使用する領域（255，38，38）、第２境界隣接区間を使用しない領域（255，52，52）、第２境界隣接区間を使用する領域（255，53，53）、と設定してもよい。この場合、インデックス信号にズレが無い場合は、夫々の階調の差が十分小さくなるため、ユーザの目からは各色領域の境界が認識しづらくなる。
【００５９】
また、上記のように構成することで、インデックス信号の遅れ調整のパラメータが細かく調整出来ない場合においても、４つの色に対応する画像領域の夫々の境界をユーザが認識できなくなるようにインデックス信号を調整することで、実際のホイールの境界に対するインデックス信号のズレが第１の隣接区間と第２の隣接区間のどちらかに偏ることなく、正しい位置に調整できる。
【００６０】
ただし、図５に示す調整用画像の配色や幾何学模様はあくまで一例に過ぎず、調整用画像生成部６２が生成する調整用画像の配色や幾何学模様は、図５の例に限定されない。
【００６１】
何れにしても、調整用画像にて、１階調ずつ異なる色の領域の境界が明確に表れる場合、インデックスセンサ３６が出力するインデックス信号と、投影光処理部１８がホイール３５を制御するための論理的なインデックス信号に対応するタイミングとにズレが大きいことを表している。そのため、本実施形態では、パラメータ調整部６４により、ズレを縮小する方向にインデックスパラメータを調整する。ここで、インデックスパラメータは、投影光処理部１８がホイール３５を制御するための論理的なインデックス信号に対応するタイミングを決定するためのパラメータである。
【００６２】
パラメータ調整部６４による調整について、図６のタイミングチャートを参照して説明をする。図６において、「インデックス信号」については、波形の立ち上がりが、インデックスセンサ３６が回転位置検出マークを検出したタイミングを示している。また、「ホイール制御での論理的なインデックス信号に対応するタイミング」では、上向きの矢印が、投影光処理部１８がホイール３５を制御するための論理的なインデックス信号に対応するタイミングを示している。
【００６３】
図６（Ａ）として、インデックスセンサ３６が出力するインデックス信号と、投影光処理部１８がホイール３５を制御するための論理的なインデックス信号に対応するタイミングとにズレが生じている状態を示す。この場合、上述したように調整用画像にて、１階調ずつ異なる色の領域の境界が明確に表れる。
【００６４】
ユーザは、この調整用画像を参照することにより、図６（Ｂ）に示すように、ズレが縮小する方向にインデックスパラメータを調整するための操作を行う。
パラメータ調整部６４がこの調整操作に応じて、インデックスパラメータを調整することにより、ズレが縮小し、インデックスセンサ３６が出力するインデックス信号と、投影光処理部１８がホイール３５を制御するための論理的なインデックス信号に対応するタイミングが一致する。この場合、上述したように調整用画像にて、１階調ずつ異なる色の領域の境界が明確に表れなくなる。
【００６５】
これにより、投影光処理部１８は、青色光源がホイール３５の透過領域と反射領域とに照射される時間を適切に制御することが可能となる。そのため、画像表示装置１０が投影する画像において混色等の不具合が発生してしまうことを防止することができる。
【００６６】
この調整作業を、例えば、工場出荷時等に一度行うことで、ズレを抑制し、目標とする色の出力を実現することができる。
つまり、本実施形態によれば、調整を簡便に行うための調整用画像を生成して、ユーザに対して提供することが可能となる。
【００６７】
［動作］
次に、画像表示装置１０の動作を説明する。
図７は、図２の機能的構成を有する図１の画像表示装置１０が実行するパラメータ調整処理の流れを説明するフローチャートである。
パラメータ調整処理は、ユーザからのインデックスパラメータ調整開始を指示する操作を、操作部５３が受け付けた場合に実行される。
【００６８】
ステップＳ１１において、調整用画像生成部６２が、一例として図５に示したような調整用画像を生成する。
【００６９】
ステップＳ１２において、投影部６３が、ステップＳ１１において生成された調整用画像を、投影対象となる図示しないスクリーンに投影表示する。
【００７０】
ステップＳ１３において、モード判定部６１は、操作部５３が、ユーザからインデックスパラメータの調整モードを終了するための操作を受け付けたか否かを判定する。
操作部５３が、ユーザからインデックスパラメータの調整モードを終了するための操作を受け付けない場合は、ステップＳ１３においてＮｏと判定され、本パラメータ調整処理は終了する。これは、調整用画像において１階調ずつ異なる色の領域の境界が明確に表れていないので、調整用画像を参照したユーザが、調整は不要であると判断した場合である。
【００７１】
一方で、操作部５３が、ユーザからインデックスパラメータの調整モードを終了するための操作を受け付けた場合は、ステップＳ１３においてＹｅｓと判定され、処理はステップＳ１４に進む。これは、調整用画像において１階調ずつ異なる色の領域の境界が明確に表れているので、調整用画像を参照したユーザが、調整が必要であると判断した場合である。
【００７２】
ステップＳ１４において、パラメータ調整部６４は、ユーザからのパラメータ調整操作を、操作部５３を介して受け付ける。パラメータ調整操作は、例えば、操作部５３の＋−ボタン等の押下等により行われる。
【００７３】
ステップＳ１５において、パラメータ調整部６４は、ステップＳ１４にて受け付けた操作に応じて、インデックスパラメータ記憶部７１が記憶しているインデックスパラメータを調整して、更新する。これにより、インデックスセンサ３６が出力するインデックス信号と、投影光処理部１８がホイール３５を制御するための論理的なインデックス信号に対応するタイミングのズレが縮小する。
【００７４】
その後、処理はステップＳ１１に戻り、ズレが縮小した状態で、再度調整用画像が生成され、ステップＳ１２以後の処理を繰り返す。そして、繰り返しの過程において、ズレが無くなり、調整用画像において１階調ずつ異なる色の領域の境界が明確に表れなくなる。そして、調整用画像を参照したユーザが、調整は不要であると判断した場合に、ステップＳ１３においてＮｏと判定され、本パラメータ調整処理は終了する。
【００７５】
［効果］
以上説明した本実施形態が奏する効果について説明をする。
インデックス信号と映像信号にズレがある場合、投影画像に色ズレが生じてしまう。通常この色ズレはインデックス信号のズレが小さい場合には顕著に違いは出ないが、特定の階調のとき大きくズレているように見えてしまう。どのよう色に対しても正確に表示するためには厳密にインデックス信号を合わせる必要がある。
【００７６】
そこで、上述したように、本実施形態では、例えば図５に示したようにインデックス信号のズレによる影響が大きいＧ期間とＢ期間の境界部分隣接区間を使用する色を用いた第1の色領域と、境界隣接区間を使用せずに第１の色に近い階調に設定される第２の色領域を含む幾何学模様が含まれる調整用画像を投影する。また、ユーザは表示される調整用画像を確認しながら幾何学模様が出ないように映像信号のオフセット調整を行う。
これにより厳密にインデックス信号を合わせることができる。また、調整作業を始める前に幾何学模様が出ているかどうかを確認することで調整の必要の有無を判断することができる。
また、階調を幾何学的に配置することによって視認性を高め、ユーザによる調整を簡便なものとすることができる。つまり、本実施形態では、調整を簡便に行うための調整用画像を生成して、提供することが可能となる。
【００７７】
以上のように構成される画像表示装置１０は、半導体レーザ３１と、ホイール３５と、調整用画像生成部６２と、投影部６３と、を備える。
半導体レーザ３１は、光を照射する。
ホイール３５は、半導体レーザ３１が照射した光の色成分を調整する領域として、第１領域と第２領域を有する。
調整用画像生成部６２は、第１領域と第２領域の境界に隣接する区間を用いる第１の色と、境界に隣接する区間を用いず、前記第１の色に近い色成分の第２の色とを隣接して配置した調整用画像を生成する。
投影部６３は、調整用画像生成部６２により生成された調整用画像を投影する。
これにより、例えば、ホイールの反射領域と透過領域にまたがる境界隣接区間を使用して作られる第１の色と、この境界隣接区間を使用しないで作られ、且つ色成分が第１の色に近い第２の色とを隣接して配置した調整用画像を提供することができる。
従って、インデックス信号を正確に合わせることができる。また、インデックス信号の調整作業前に調整の必要の有無を判断することが確認できる。
【００７８】
調整用画像生成部６２は、第１領域と第２領域の夫々で調整される色成分において１階調ずつ異なる色を、第１の色及び第２の色として選択して調整用画像を生成する。
これにより、インデックス信号のズレを把握することが容易になる。
【００７９】
調整用画像生成部６２は、
境界に隣接する第１領域側の区間を用いる第１領域側の第１の色と、境界に隣接する第１領域側の区間を用いない第１領域側の第２の色とを第１の色の組として配置し、
境界に隣接する第２領域側の区間を用いる第２領域側の第１の色と、境界に隣接する第２領域側の区間を用いない第２領域側の第２の色とを第２の色の組として第１の色の組に更に隣接して配置した調整用画像を生成する。
これにより、インデックス信号が、第１領域側にズレている場合であっても、第２領域側にズレている場合であっても、インデックス信号のズレを調整用画像に表すことができる。
【００８０】
第１領域は半導体レーザ３１が照射した光を反射することによって光の色成分を調整する領域であり、第２領域は半導体レーザ３１が照射した光を透過することによって光の色成分を調整する。
これにより、反射光を反射することによって光の色成分を調整する領域と、光を透過することによって光の色成分を調整する領域の双方を備えているホイールに関しての調整用画像を提供することができる。
【００８１】
第１領域及び第２領域は、半導体レーザ３１が照射した光の色成分を調整することにより、夫々が異なる色を生成する領域であることを特徴とする領域である。
これにより、例えば、各領域が透過（又は反射）により異なる色を生成するカラーホイールに関しての調整用画像を提供することができる。
【００８２】
画像表示装置１０は、パラメータ調整部６４を更に備える。
パラメータ調整部６４は、投影部６３が投影した調整用画像に基づいて、ホイール３５の回転制御での制御における前記第１領域と前記第２領域の境界と、ホイール３５の物理的な境界に対応して設けられた指標を検出することにより生成されるインデックス信号に基づいて特定される前記第１領域と前記第２領域の境界との差異を減少させる為に、ホイール３５の制御での論理的な境界を決定する設定を調整することを特徴とする。
これにより、調整用画像を、論理的な境界とインデックス信号に基づいて特定される境界との差異を減少させるための調整を行う用途に活用できる。
【００８３】
パラメータ調整部６４は、投影部６３が投影した調整用画像における第１の色と第２の色との境界線を視認できなくなるように調整を行う。
これにより、論理的な境界とインデックス信号に基づいて特定される境界がズレいている場合に、階調の変化が急激となり、幾何学模様が浮き上がるという調整用画像の特性を利用して調整を行うことができる。
【００８４】
なお、本発明は、上述の実施形態に限定されるものではなく、本発明の目的を達成できる範囲での変形、改良等は本発明に含まれるものである。
【００８５】
また、上述の実施形態では、本発明が適用されるホイールとして、透過領域と反射領域の双方を有するホイールであるホイール３５を例にとって説明したが、これに限定されない。本実施形態は、各領域とも透過領域の（又は各領域とも反射領域の）通常のカラーホイールにおける境界の検出一般に適用することができる。例えば、Ｒ、Ｇ及びＢの領域を有するカラーホイール（あるいは、これに加えて、例えばＷ（Ｗｈｉｔｅ）、Ｃ（Ｃｙａｎ）、Ｙ（Ｙｅｌｌｏｗ）等の領域を有するカラーホイール）の各境界部分の検出一般に適用することができる
また、反射領域として用いる蛍光体も青色の光源から緑色を作る例を説明したがそれに限られず、赤色や黄色の蛍光体を用いてもよく、１つのホイールに赤色蛍光体領域、緑色蛍光体領域等複数色の反射領域を形成させるよう構成しても良い。
【００８６】
また、上述の実施形態では、ユーザが調整用画像を、目視してインデックスパラメータを調整する場合について説明したが、これに限定されない。例えば、色を計測する計測装置によって、調整用画像の各領域の色を検出して、その差分の大きさを判定する。そして、パラメータ調整部６４が、この判定結果に基づいてインデックスパラメータを調整するようにしてもよい。
【００８７】
上述した一連の処理は、ハードウェアにより実行させることもできるし、ソフトウェアにより実行させることもできる。
換言すると、図２の機能的構成は例示に過ぎず、特に限定されない。すなわち、上述した一連の処理を全体として実行できる機能が画像表示装置１０に備えられていれば足り、この機能を実現するためにどのような機能ブロックを用いるのかは特に図２の例に限定されない。
【００８８】
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【００８９】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００９０】
このようなプログラムを含む記録媒体は、ユーザにプログラムを提供するために装置本体とは別に配布される図１のリムーバブルメディア１０１により構成されるだけでなく、装置本体に予め組み込まれた状態でユーザに提供される記録媒体等で構成される。リムーバブルメディア１０１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１の記憶部５２に含まれる半導体メモリ等で構成される。
【００９１】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００９２】
以上、本発明の実施形態について説明したが、この実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００９３】
以下に、本願の出願当初の特許請求の範囲に記載された発明を付記する。
［付記１］
光を照射する光源部と、
前記光源部が照射した光の色成分を調整する領域として、第１領域と第２領域を有するホイールと、
前記第１領域と前記第２領域の境界に隣接する区間を用いる第１の色と、前記境界に隣接する区間を用いず、前記第１の色に近い色成分の第２の色と、を隣接して配置した調整用画像を生成する生成手段と、
前記生成手段により生成された前記調整用画像を投影する投影手段と、
を備えることを特徴とする調整用画像生成装置。
［付記２］
前記生成手段は、前記第１領域と前記第２領域の夫々で調整される色成分において１階調ずつ異なる色を、前記第１の色及び前記第２の色として選択して前記調整用画像を生成することを特徴とする付記１に記載の調整用画像生成装置。
［付記３］
前記生成手段は、
前記境界に隣接する前記第１領域側の区間を用いる第１領域側の第１の色と、前記境界に隣接する前記第１領域側の区間を用いない第１領域側の第２の色とを第１の色の組として配置し、
前記境界に隣接する前記第２領域側の区間を用いる第２領域側の第１の色と、前記境界に隣接する前記第２領域側の区間を用いない第２領域側の第２の色とを第２の色の組として前記第１の色の組に更に隣接して配置した調整用画像を生成することを特徴とする付記１又は２に記載の調整用画像生成装置。
［付記４］
前記第１領域は前記光源部が照射した光を反射することによって光の色成分を調整する領域であり、前記第２領域は前記光源部が照射した光を透過することによって光の色成分を調整する付記１乃至３の何れか１に記載の調整用画像生成装置。
［付記５］
前記第１領域及び前記第２領域は、前記光源部が照射した光の色成分を調整することにより、夫々が異なる色を生成する領域であることを特徴とする領域であることを特徴とする付記１乃至４の何れか１に記載の調整用画像生成装置。
［付記６］
前記投影手段が投影した前記調整用画像に基づいて、前記ホイールの回転制御での制御上の前記第１領域と前記第２領域の境界と、前記ホイールの物理的な境界に対応して設けられた指標を検出することにより生成されるインデックス信号に基づいて特定される前記第１領域と前記第２領域の境界との差異を減少させる為に、前記ホイールの制御での論理的な境界を決定する設定値を調整する調整手段を更に備えることを特徴とする付記１乃至５の何れか１に記載の調整用画像生成装置。
［付記７］
前記調整手段は、前記投影手段が投影した前記調整用画像における前記第１の色と前記第２の色との境界線を視認できなくなるように調整を行うことを特徴とする付記６に記載の調整用画像生成装置。
［付記８］
光を照射する光源部と、
前記光源部が照射した光の色成分を調整する領域として、第１領域と第２領域を有するホイールと、を備えた装置が行う調整用画像生成方法であって、
前記第１領域と前記第２領域の境界に隣接する区間を用いる第１の色と、前記境界に隣接する区間を用いず、前記第１の色に近い色成分の第２の色と、を隣接して配置した調整用画像を生成する生成ステップと、
前記生成ステップにて生成された前記調整用画像を投影する投影ステップと、
を備えることを特徴とする調整用画像生成方法。
【符号の説明】
【００９４】
１０・・・画像表示装置，１１・・・入出力コネクタ，１２・・・入出力インターフェース（Ｉ／Ｆ），１３・・・システムバス，１４・・・画像変換部，１５・・・ＶＲＡＭ，１６・・・投影画像処理部，１７・・・音声出力部，１８・・・投影光処理部，１９・・・投影光生成部，２０・・・マイクロミラー素子（ＳＬＭ），２１、３３、３８、３９、４２・・・ミラー，２２・・・投影レンズユニット，３１・・・（Ｂ発光）半導体レーザ，３２・・・（Ｒ発光）ＬＥＤ，３４、４０・・・ダイクロイックミラー，３５・・・カラーホイール，３６・・・インデックスセンサ，３７・・・モータ（Ｍ），４１・・・インテグレータ，５１・・・ＣＰＵ，５２・・・記憶部，５３・・・操作部，６１・・・モード判定部，６２・・・調整用画像生成部，６３・・・調整用画像投影部，６４・・・パラメータ調整部，７１・・・インデックスパラメータ記憶部，１００・・・リムーバブルメディア，
【図１】
2020204781.tif 000003
【図２】
2020204781.tif 000004
【図３】
2020204781.tif 000005
【図４】
2020204781.tif 000006
【図５】
2020204781.tif 000007
【図６】
2020204781.tif 000008
【図７】
2020204781.tif 000009
【手続補正書】
【提出日】令和2年9月24日(2020.9.24)
【手続補正１】
【補正対象書類名】明細書
【補正対象項目名】０００９
【補正方法】変更
【補正の内容】
【０００９】
上記目的を達成するため、本発明に係る投影装置は、所定の軸を中心に回転するように構成されているとともに所定の光源から出射される光の光路上に配置されることにより、前記所定の軸を中心にした回転に伴って前記光が照射される領域が可変するホイールと、前記ホイールを介した前記光源からの光により所定の画像パターンが投影面に形成されるように、前記ホイールを介した前記光源からの光を所定の画像信号に基づいて空間的に変調する表示素子と、を備え、前記ホイールは、前記光が照射される領域が、照射された前記光が第１の色で出射する第１の調整領域と前記第１の色とは異なる第２の色で出射する第２の調整領域とに、分割されている投影装置であって、少なくとも第１の配色領域と第２の配色領域とを有し前記第１の配色領域と前記第２の配色領域とが隣り合う幾何学模様に配置された調整用画像を前記所定の画像パターンとして投影する際に、前記第１の配色領域が、前記第１の調整領域のうち前記第２の調整領域との境界に隣接する領域から出射した光で形成されるように、且つ、前記第２の配色領域が、前記第２の調整領域のうち前記第１の調整領域との境界に隣接する領域から出射した光で形成されるように、前記ホイール及び前記表示素子を制御する制御手段を備え、前記第１の配色領域は、領域形状が円を２等分した２つの半円のうちの一方の半円に対応するように設定され、前記第２の配色領域は、領域形状が前記２つの半円のうちの他方の半円に対応するように設定されている、ことを特徴とする。
また、本発明に係るプログラムは、所定の軸を中心に回転するように構成されているとともに所定の光源から出射される光の光路上に配置されることにより、前記所定の軸を中心にした回転に伴って前記光が照射される領域が可変するホイールと、前記ホイールを介した前記光源からの光により所定の画像パターンが投影面に形成されるように、前記ホイールを介した前記光源からの光を所定の画像信号に基づいて空間的に変調する表示素子と、を備え、前記ホイールは、前記光が照射される領域が、照射された前記光が第１の色で出射する第１の調整領域と前記第１の色とは異なる第２の色で出射する第２の調整領域とに、分割されている投影装置のコンピュータを、少なくとも第１の配色領域と第２の配色領域とを有し前記第１の配色領域と前記第２の配色領域とが隣り合う幾何学模様に配置された調整用画像を前記所定の画像パターンとして投影する際に、前記第１の配色領域が、前記第１の調整領域のうち前記第２の調整領域との境界に隣接する領域から出射した光で形成されるように、且つ、前記第２の配色領域が、前記第２の調整領域のうち前記第１の調整領域との境界に隣接する領域から出射した光で形成されるように、前記ホイール及び前記表示素子を制御する制御手段として機能させ、前記第１の配色領域は、領域形状が円を２等分した２つの半円のうちの一方の半円に対応するように設定され、前記第２の配色領域は、領域形状が前記２つの半円のうちの他方の半円に対応するように設定されている、ことを特徴とする。
【手続補正２】
【補正対象書類名】特許請求の範囲
【補正対象項目名】全文
【補正方法】変更
【補正の内容】
【特許請求の範囲】
【請求項１】
所定の軸を中心に回転するように構成されているとともに所定の光源から出射される光の光路上に配置されることにより、前記所定の軸を中心にした回転に伴って前記光が照射される領域が可変するホイールと、
前記ホイールを介した前記光源からの光により所定の画像パターンが投影面に形成されるように、前記ホイールを介した前記光源からの光を所定の画像信号に基づいて空間的に変調する表示素子と、
を備え、
前記ホイールは、前記光が照射される領域が、照射された前記光が第１の色で出射する第１の調整領域と前記第１の色とは異なる第２の色で出射する第２の調整領域とに、分割されている投影装置であって、
少なくとも第１の配色領域と第２の配色領域とを有し前記第１の配色領域と前記第２の配色領域とが隣り合う幾何学模様に配置された調整用画像を前記所定の画像パターンとして投影する際に、前記第１の配色領域が、前記第１の調整領域のうち前記第２の調整領域との境界に隣接する領域から出射した光で形成されるように、且つ、前記第２の配色領域が、前記第２の調整領域のうち前記第１の調整領域との境界に隣接する領域から出射した光で形成されるように、前記ホイール及び前記表示素子を制御する制御手段を備え、
前記第１の配色領域は、領域形状が円を２等分した２つの半円のうちの一方の半円に対応するように設定され、
前記第２の配色領域は、領域形状が前記２つの半円のうちの他方の半円に対応するように設定されている、
ことを特徴とする投影装置。
【請求項２】
前記制御手段は、前記調整用画像にさらに第３の配色領域が含まれるように且つ前記第３の配色領域と前記第１の配色領域とが隣り合うように、前記調整用画像を投影する際には、前記第３の配色領域が、前記第１の調整領域のうち前記第２の調整領域との境界から離れた領域から出射した光で形成されるように、前記ホイール及び前記表示素子を制御する、
ことを特徴とする請求項１に記載の投影装置。
【請求項３】
前記制御手段は、前記調整用画像にさらに第４の配色領域が含まれるように且つ前記第４の配色領域と前記第２の配色領域とが隣り合うように、前記調整用画像を投影する際には、前記第４の配色領域が、前記第２の調整領域のうち前記第１の調整領域との境界から離れた領域から出射した光で形成されるように、前記ホイール及び前記表示素子を制御する、
ことを特徴とする請求項１または２に記載の投影装置。
【請求項４】
所定の軸を中心に回転するように構成されているとともに所定の光源から出射される光の光路上に配置されることにより、前記所定の軸を中心にした回転に伴って前記光が照射される領域が可変するホイールと、
前記ホイールを介した前記光源からの光により所定の画像パターンが投影面に形成されるように、前記ホイールを介した前記光源からの光を所定の画像信号に基づいて空間的に変調する表示素子と、
を備え、
前記ホイールは、前記光が照射される領域が、照射された前記光が第１の色で出射する第１の調整領域と前記第１の色とは異なる第２の色で出射する第２の調整領域とに、分割されている投影装置のコンピュータを、
少なくとも第１の配色領域と第２の配色領域とを有し前記第１の配色領域と前記第２の配色領域とが隣り合う幾何学模様に配置された調整用画像を前記所定の画像パターンとして投影する際に、前記第１の配色領域が、前記第１の調整領域のうち前記第２の調整領域との境界に隣接する領域から出射した光で形成されるように、且つ、前記第２の配色領域が、前記第２の調整領域のうち前記第１の調整領域との境界に隣接する領域から出射した光で形成されるように、前記ホイール及び前記表示素子を制御する制御手段として機能させ、
前記第１の配色領域は、領域形状が円を２等分した２つの半円のうちの一方の半円に対応するように設定され、
前記第２の配色領域は、領域形状が前記２つの半円のうちの他方の半円に対応するように設定されている、
ことを特徴とするプログラム。